(57)【要約】【課題】  防水性・水蒸気透過性隔膜の破損につながる公知の型における先の短所を排除することができる改良構造を有している靴用の防水性・通気性底革を提供する。【解決手段】  不透水性かつ水蒸気透過性の材料から作られた隔膜（１１，１１１）を有し、耐加水分解性、撥水性、通気性および／または有孔の材料から作られた下部保護層（１４，１１４）にスポットで結合された中底要素（１０，１１０）と、有孔エラストマーから作られて中底要素（１０，１１０）に周縁で密封状に接合された接地部（１５，１１５）とを備えてなる構造体を有し、前記隔膜（１１，１１１）が熱反応性接着剤（１３，１１３）によって前記保護層（１４，１１４）に結合されている、靴用の防水性・通気性底革。【特許請求の範囲】
【請求項１】
不透水性かつ水蒸気透過性の材料から作られた隔膜（１１，１１１）を有し、耐加水分解性、撥水性、通気性および／または有孔の材料から作られた下部保護層（１４，１１４）にスポットで結合された中底構成要素（１０，１１０）と、
有孔エラストマーから作られて前記構成要素（１０，１１０）に周縁で密封状に接合された接地部（１５，１１５）とを備えてなる構造体を有し、
前記構造体は、前記隔膜（１１，１１１）が熱反応性接着剤（１３，１１３）によって前記保護層（１４，１１４）に接合されていることを特徴とする、靴用の防水性・通気性底革。
【請求項２】
前記隔膜（１１）とこれに接合された前記保護層（１４）とは、オーバーモールド加工されたかまたは前記構成要素（１０）における定位置に組付けられた前記接地部（１５）へ密封状に接合されていることを特徴とする請求項１に記載の構造体を有している底革。
【請求項３】
前記隔膜（１１１）と前記保護層（１１４）とは、オーバーモールド加工されたかまたは定位置に組付けられた周辺要素（１１７）を備えかつ前記隔膜（１１１）と前記保護層（１１４）とを取り囲みそれらに密封状に接合されている予備組付インサートのある中底（１１０）の一部であり、前記インサート（１１０）は、オーバーモールド加工されたかまたは定位置に組付けられた前記接地部（１１５）へ接合されていることを特徴とする請求項１に記載の構造体を有している底革。
【請求項４】
前記熱反応性接着剤は、熱可塑性ポリウレタン接着剤であることを特徴とする請求項１〜３の１つに記載の底革。
【請求項５】
靴用の防水性・通気性底革を提供するために、不透水性かつ水蒸気透過性の材料から作られた隔膜（１１，１１１）と、耐加水分解性、撥水性、通気性および／または有孔の材料から作られた下部保護層（１４，１１４）とをスポットで接合する熱反応性接着剤の使用。
【請求項６】
前記熱反応性接着剤は、熱可塑性ポリウレタン接着剤であることを特徴とする請求項５に記載の使用。
【請求項７】
不透水性かつ水蒸気透過性の材料から作られた隔膜（１１，１１１）を有し、耐加水分解性、撥水性、通気性および／または有孔の材料から作られた下部保護層（１４，１１４）にスポットで結合された中底構成要素（１０，１１０）と、有孔エラストマーから作られて前記構成要素（１０，１１０）に周縁で密封状に接合された接地部（１５，１１５）とを有してなる構造体を有している、靴用の防水性・通気性底革底革を作る方法であって、前記隔膜（１１，１１１）を熱反応性接着剤（１３，１１３）によって前記下部保護層（１４，１１４）に結合するステップを備えている方法。
【発明の詳細な説明】
【技術分野】
【０００１】
この発明は、靴用の改良された防水性・通気性底革に関するものである。
【背景技術】
【０００２】
靴用のプラスチック製防水性・通気性底革がすでに知られている。これらの底革の1つは、同一出願人によるイタリア特許第１，２８２，１９６号公報に開示されている。
【０００３】
この事例では、底革は、
不透水性かつ水蒸気透過性の材料から作られた隔膜を有し、耐加水分解性、撥水性、通気性および／または有孔の材料から作られた下部保護層に接合された中底と、
有孔エラストマーから作られて中底に周縁で密封状に接合された接地部とを備えている。
【０００４】
同一出願人による国際特許出願の公開ＷＯ９８／５１１７７号公報に開示された防水性・通気性底革もまた知られており、この底革は、不透水性かつ水蒸気透過性の隔膜があり、耐加水分解性、撥水性、通気性および／または有孔の材料から作られた下部保護層に接合された予備組付インサートを備えている。
【０００５】
このインサートは、オーバーモールドされるか定位置に組付けられかつ隔膜および保護層を取り囲みそれらに密封状に接合された要素によって仕上げられている。このインサートは、中底の一部であり、オーバーモールドされて定位置に組付けられた有孔のプラスチック製接地部に前記中底とともに接合されている。
【０００６】
両事例では、隔膜の下側に配置された保護層は、隔膜がそれらの穴から偶発的に入り込む異物によって貫かれるのを保護するように意図されている。保護層は、フェルトから作られているのが普通であり、隔膜に通気可能に結合されており（例えばポリウレタン基剤を有している熱可塑性接着剤のスポットによって）、水蒸気は靴の内側から接地部に設けられた穴を通って外側へ通過することができる。
【発明の開示】
【発明が解決しようとする課題】
【０００７】
先に説明された底革は、これまで長年にわたって商業的に入手することができ、靴の内側における微小環境と外側の微小環境との間における熱および水蒸気の適正な交換を保証することができるとこぞって認識されてきたが、周縁に一体状に組付けられた接地部に対して引張弾性率が異なることから隔膜が破損しやすい傾向を特に含んでいる短所があることがわかった。
【０００８】
隔膜は実際には、ほとんど弾性材料でない発泡ポリテトラフルオロエチレンから作られているのが普通であるのに対して、接地部は、まさにその本質から、またその機能的要件のために、きわめて弾性的かつ可撓性でなければならない。
【０００９】
したがって、隔膜は、運動の際に、使用の間に、エラストマーの接地部が作られているポリマー（ＰＶＣ、ＴＲ、ポリウレタン、ゴムなど）の弾性延び率を作り出す曲げ応力を吸収することができず、したがって、その弾性率が大き過ぎるために破損しやすく、また、その防水性が損なわれる。
【００１０】
ポリエステルのフェルトから作られているのが普通である、隔膜の下側の保護要素はそれ自体、底革の変形によって引き起こされた張力を吸収することができない、ということがわかった。
【００１１】
前記伸び率を減少させるために、国際特許出願の公開ＷＯ０２／３２２４６Ａ１号公報に開示された構造が採用されたが、この特許明細書には、高い最大引張歪みと低い伸び率とを有している複合材料の使用が開示されているが、この材料の挿入は、高価であり、また靴の全体硬直も引き起こす。
【００１２】
さらにまた、隔膜の破損の問題は、隔膜をフェルト層でラミネートするために用いられるポリウレタン接着剤における熱可塑性の現象に可逆性があるために、前記接着剤の溶融点（例えば６５℃）は、接地部を構成しかつ隔膜に周縁シールを形成しなければならないポリマーが金型へ注入される温度（例えば１８０℃）よりも事実上、低いため、いつまでも解決されない。
【００１３】
このポリウレタン接着剤の溶融点よりも高い温度は、靴を普通に製造する間と靴を使用（例えば、夏期における熱いアスファルト道路上の歩行時の使用）する間との両方で到達するおそれがある。
【００１４】
溶融点よりも高い温度に到達することによって、熱可塑性接着剤は再活性化されて、その粘度がかなり減少し（粘度が温度の関数であることは知られている）、フェルトによる前記接着剤の完全吸収が引き起こされることがある。これは、組付体がいったん冷却されると、隔膜をフェルト層へ適切に結合することのできる充分な接着剤はもはや存在しない、ということを意味している。
【００１５】
したがって、この底革が使用の間に受ける全応力は隔膜へ伝達され、先に述べた問題のために隔膜は破損する。この問題は、不透水性かつ水蒸気透過性である隔膜が使用される他のユーザーに関する底革においては、もっぱら新しい。
【００１６】
高温におけるこのような特性は、例えば、甲革におけるライニングとして使用される積層構造物を作るためには、事実上、必要ではないが、その理由は、これらの場合には、ポリマー材料から作られた底革の射出成形において到達した温度に近い温度に決して到達しないからである。これらの場合には、実際には最大温度である１００℃へは到達することができる。
【課題を解決するための手段】
【００１７】
したがって、この発明の目標は、防水性・水蒸気透過性隔膜の破損につながる公知の型における先の短所を排除することができる改良構造を有している靴用の防水性・通気性底革を提供することである。
【００１８】
この目標の中におけるこの発明の１つの目的は、どのような場合にも底革の防水性および通気性を減少させないことである。別の目的は、公知の底革について特定の構造的複雑性を伴わない底革を提供することである。別の目的は、そのコストが公知の型のコストに対して競争力のある底革を提供することである。
【００１９】
この目標、これらの目的、およびこれ以降でいっそう明らかになる他の目的は、
不透水性かつ水蒸気透過性の材料から作られた隔膜を有し、耐加水分解性、撥水性、通気性および／または有孔の材料から作られた下部保護層にスポットで接合された中底と、
有孔エラストマーから作られて中底に周縁で密封状に接合された接地部とを備えてなる構造体を有し、
前記構造体は、前記隔膜が熱反応性接着剤によって前記保護層に接合されていることを特徴とする、靴用の防水性・通気性底革によって達成される。
【００２０】
この発明のさらに別の特徴および利点は、添付図面において非限定的な例として図示されたいくつかの実施形態の詳細な説明からいっそう明らかになる。
【発明を実施するための最良の形態】
【００２１】
図１によれば、第１実施形態に係る靴用の防水性・通気性底革は、中底１０を備えた構造体を有し、中底１０は、不透水性かつ水蒸気透過性の材料から作られた（通常は商業的に入手することができ、かつ、例えば発泡ポリウレタンから作られた）隔膜１１から構成され、隔膜１１は、合成材料から作られた支持用メッシュ１２で被覆され、接着剤１３のスポットによって、耐加水分解性、撥水性、通気性および／または有孔の材料、好ましくはポリエステル製フェルトから作られた下部保護層１４に接合されている。
【００２２】
この構造体には、オーバーモールド加工されたかまたは中底１０における定位置に組み付けられてそこへ周縁で密封状に接合された（図１ではその縁部を取り囲んでいる境界部１７を参照のこと）、エラストマーから作られ貫通孔１６のある接地部１５がさらに備わっている。
【００２３】
この発明によれば、この構造体は、前記隔膜１１が熱反応性接着剤によって前記保護層１４に結合されていることを特徴とする。
【００２４】
熱反応性接着剤とは、別の技術分野においてそれ自体が知られている接着剤であって、それらは、互いに貼り合わされた相異なる材料からなる２以上の層によって形成され、例えば外科的使用のための保護組織を作るために実際に用いられている。
【００２５】
前記組織は、再利用を可能にするために、実際にはオートクレーブの中において高温で繰り返し殺菌する必要があり、また、この殺菌操作の間に達した高温によって、保護組織を構成する２以上の要素の分離が引き起こされてはならない、
【００２６】
これらの接着剤からは、温度によって、多くの分子間（分子どうしの間）結合力が作り出され、したがって、部分的に剛性であっていかなる場合にも熱的に不可逆的である３次元構造体が形成される。これらの結合力は、前記接着剤を構成する分子鎖の中に存在しているＮＣＯとＯＨとの間に生じる。
【００２７】
この発明の目的のために利用することのできる熱反応性接着剤は例えば、スイスの会社であるシャエッティー株式会社（ＳＣＨＡＥＴＴＩ  ＡＧ）によって製造されてピーユー・シャエッティー・フィックス  ６０５０（ＰＵ  ＳＣＨＡＥＴＴＩ  ＦＩＸ  ６０５０）の名前で市場に出されている熱可塑性ポリウレタン接着剤である。
【００２８】
スポットの中で隔膜１１を保護層１４に結合させるためにこれらの熱反応性接着剤を使用する実地試験によれば、分子間結合力では、保護層１４のフェルトによって高温で接着剤の溶融および吸収が行われず、隔膜１１の分離が防止され、したがって、より大きい断面積にわたる応力の分布が可能になる（隔膜１１＋層１４のフェルト）。
【００２９】
これによって、その弾性率が大きくなり過ぎることによる隔膜１１の破損が回避される。
【００３０】
さて、図２によれば、第２実施形態に係る靴用の防水性・通気性底革は、先の実施形態の中底１０に対応する予備組付インサート１１０を備えた構造体を有し、不透水性かつ水蒸気透過性の材料から作られた（通常は商業的に入手することができ、かつ、例えば発泡ポリウレタンから作られた）隔膜１１１が存在し、隔膜１１１は、合成材料から作られた支持用メッシュ１１２で被覆され、接着剤のスポット１１３によって、耐加水分解性、撥水性、通気性および／または有孔の材料、好ましくはポリエステル製フェルトから作られた下部保護層１１４に接合されている。
【００３１】
このインサート１１０は、オーバーモールドされるか定位置に組付けられかつ隔膜１１１（メッシュ１１２付き）および保護層１１４を取り囲みそれらに密封状に接合された周辺要素１１７によって仕上げられている。このインサート１１０は、オーバーモールド加工されたかまたはその定位置に組み付けられた、エラストマーから作られ貫通孔１１６のある接地部１１５に接合されている。
【００３２】
この事例でもまた、構造体は、前記隔膜１１１が熱反応性接着剤によって前記保護層１１４に結合されていることを特徴とする。
【００３３】
説明された改良型靴底革を得るための方法は、この発明の好適な実施形態に関して開示されたように底革部品を組付けるための諸ステップに基づいている。
【００３４】
実際に、この発明の意図された目標および諸目的が達成されたことがわかった。
【００３５】
改良された構造体を有しており、防水性・通気性隔膜の破損につながる公知の型によってこうむる短所を、底革の防水性および通気性に関する諸特性を損なうことなく排除する靴用の防水性・通気性底革が実際に考案された。さらにまた、この底革の製造には、従来の底革に対して特定の構造的複雑性を伴うことがない。
【００３６】
以上のように考え出されたこの発明は、すべてが「特許請求の範囲」の範囲内に属する、きわめて多くの修正および変形を加えることができる。すべての細部は、技術的に等価な他の要素で置き換えることもまた可能である。実際のところ、寸法は、要求に応じたどのようなものでもよい。
【００３７】
この出願が優先権を主張するイタリア特許出願第ＰＤ２００２Ａ０００１８７号における開示は、引用によってこの明細書に組み入れられる。
【図面の簡単な説明】
【００３８】
【図１】図１は、この発明の第１実施形態に係る、この発明の構造体を有している靴用の防水性・通気性底革の横断面図である。
【図２】図２は、この発明の第２実施形態に係る、この発明の構造体を有している靴用の防水性・通気性底革の横断面図である。
【図１】
2005532102.tif 000002
【図２】
2005532102.tif 000003
【国際調査報告】
2005532102.tif 000004
2005532102.tif 000005
2005532102.tif 000006